(57)【要約】      （修正有）【課題】浴用タオルにヒダポケットを設け、スポンジ機能と長柄ブラシの機能を担った長短両用の浴用タオルを提供する。【解決手段】浴用に適した長尺の布地１の中央に無数のヒダ２を作り、長尺の布地の上下三分の一を中央で内側に折り重ね、ヒダの両脇から左右両方向に縫うことにより細長い形状の浴用タオルが出来ると共に二つのヒダポケットの開口部３ができる、この開口部３は用途に応じてタオルの両端を出し入れすることができ、ヒダの凹凸により身体全体を容易に洗う事が出来る、長短自由な浴用タオルとなる。【選択図】図２
0003151398.tif 000002
【実用新案登録請求の範囲】
【請求項１】
浴用に適した長尺の布地を横に広げ、布地の中央より左右にヒダプリーツを作り、上下三分の一を中央に重ね、ヒダ部分の両脇から左右の両端までを縫い、中央にヒダポケットの開口部を二つ作り、タオルの両端をポッケトの開口部に収納し、長短自由なヒダポケット付き浴用タオル
【考案の詳細な説明】
【技術分野】
【０００１】  本考案は浴用タオルにヒダポケットを設けた、浴用タオルに関するものである
【背景技術】
【０００２】  入浴の際、身体を洗う場合スポンジやナイロンタオルを使用し、一人では洗いにくかった背中のクボミは長い柄のブラシや中央にスポンジやフリルの付いたもの等を使用していたが、いずれもそれぞれの機能しか、果たしていないものが多かった。
【考案の開示】
【考案が解決しようとする課題】
【０００３】  上述したような道具では、その都度  各々石鹸をつけ・水やお湯を使い手間や時間の負担も大きかった。ヒダポケットを設ける事により前述の欠点を解決しようとするものである。
【課題を解決する為の手段】
【０００４】  本考案は、長尺の布地に厚みと膨らみを持たせたヒダポケットを設け、長柄ブラシの役目を担い且つ、細長のタオル本体の両端を折りたたみ、中央の開口部より収納し、スポンジの機能を担うなど、出し入れ自由なヒダポケットを設けることにより問題を解決している。
【考案の効果】
【０００５】  上述のように本考案のヒダポケット付き浴用タオルは、身体を洗う際のスポンジの機能はもちろん、細長く広げた際の厚みのあるヒダ部分が背中のクボミに心地よくあたり、数種類の道具を用意せずとも、一つで多くの機能を持つ為使い勝手が良く、タオル尻の水はねや石鹸の飛び散りも少ないなど、年齢を問わず簡単に身体を洗うことが出来る。  又、ヒダポケットには小さくなった石鹸を入れ、最後まで使い切ることやスポンジや長柄ブラシに持ち替える等の手間、洗い流すための水やお湯などの節約にも繋がるなど、地球に優しいエコタオルである。
【考案の実施するための最良の形態】
【０００６】  タオル本体の中央に、背中のクボミにあたるように、厚みと膨らみをもたせたヒダを作り、そのヒダ部分を中心として、細長い形状になるように、本体を内側に三つ折りに重ね合わせ、そのヒダ部分の両脇から左右両方向に、縫うことにより開口部が二つでき完成となる。
【０００７】  さらに、細長タオルの両端をヒダポケット部分上に重ねおき、そのまま開口部を裏返す、さらにもう一方の開口部も裏返しタオル全体を包み込むことで、スポンジ機能と長柄ブラシ機能の長短両用の浴用タオルとなる。
【実施例】
【０００８】  以下、添付図に従って一実例を説明する。１は浴用に適した長尺の布地本体、２は厚みと膨らみの為のヒダプリーツ部分で、この本体５の位置より６の矢印の方向に折り重ね、４に従いヒダプリーツ部分の両脇より、左右両方向に縫う事により開口部３が二つでき、細長いタオルの完成となるが、１の本体を５の位置より６に従い２のヒダプリーツ部分上に重ね、そのまま３の開口部を裏返し、もう一方の３の開口部も裏返すことにより、１の本体、全体をヒダポケット２に包み込んだスポンジ機能の浴用タオルとなり、一つで二つの役目を担う浴用タオルとなる。
【図面の簡単な説明】
【図１】本考案のヒダポッケトタオルの平面図である
【図２】ヒダポッケト付きタオルの完成図である
【図３】ポケット収納時の断面図である
【符号の説明】
１    タオル本体
２    ヒダプリーツ部分
３    開口部
４    ミシン縫い
５    折りたたみ線
６    折りたたむ方向
【図１】
0003151398.tif 000003
【図２】
0003151398.tif 000004
【図３】
0003151398.tif 000005
【手続補正書】
【提出日】平成20年12月5日(2008.12.5)
【手続補正１】
【補正対象書類名】実用新案登録請求の範囲
【補正対象項目名】請求項１
【補正方法】変更
【補正の内容】
【請求項１】
浴用に適した長尺の布地を横に広げ、布地の中央より左右に無数のヒダプリーツを作り、上下三分の一を中央に重ね、ヒダ部分の両脇から左右両方向の端までを縫い、中央にヒダポケットの開口部を二つ作り、タオルの両端をポケットの開口部に収納可能とし、長短両用としたことを、特徴とするヒダポケット付き浴用タオル
【手続補正書】
【提出日】平成21年2月28日(2009.2.28)
【手続補正２】
【補正対象書類名】明細書
【補正対象項目名】全文
【補正方法】変更
【補正の内容】
【考案の詳細な説明】
【技術分野】
【０００１】  本考案は浴用タオルにヒダポケットを設けた、浴用タオルに関するものである
【背景技術】
【０００２】  入浴の際、身体を洗う場合スポンジやナイロンタオルを使用し、一人では洗いにくかった背中のクボミは長い柄のブラシや中央にスポンジやフリルの付いたもの等を使用していたが、いずれもそれぞれの機能しか、果たしていないものが多かった。
【考案の開示】
【考案が解決しようとする課題】
【０００３】  上述したような道具では、その都度  各々石鹸をつけ・水やお湯を使い手間や時間の負担も大きかった。ヒダポケットを設ける事により前述の欠点を解決しようするものである。
【課題を解決する為の手段】
【０００４】  本考案は、長尺の布地に厚みと膨らみをもたせたヒダポケットを設け、長柄ブラシの役目を担い且つ、細長のタオル本体の両端を折りたたみ、中央の開口部に収納可能とし、スポンジの機能を担うなど、出し入れ自由なヒダポケットを設けることにより問題を解決している。
【考案の効果】
【０００５】  上述のように本考案のヒダポケット付き浴用タオルは、身体を洗う際のスポンジの機能はもちろん、細長く広げた際の厚みのあるヒダ部分が背中のクボミに心地よくあたり、数種類の道具を用意せずとも、一つで多くの機能を持つため使い勝手が良く、タオル尻の水はねや、石鹸の飛び散りも少ないなど、年齢を問わず簡単に身体を洗うことが出来る。  又、ヒダポケットには小さくなった石鹸を入れ、最後まで使い切ることやスポンジや長柄ブラシに持ち替える等の手間、洗い流すための水やお湯などの節約にも繋がるなど、地球に優しいエコタオルである。
【考案の実施するための最良の形態】
【０００６】  タオル本体の中央に、背中のクボミにあたるように、厚みと膨らみをもたせたヒダを作り、そのヒダ部分を中心として、細長い形状になるように、本体を内側に三つ折りに重ね合わせ、そのヒダ部分の両脇から左右両方向に、縫うことにより開口部が二つでき完成となる。
【０００７】  さらに、細長タオルの両端をヒダポケット部分上に重ねおき、そのまま開口部を裏返す。さらにもう一方の開口部も裏返しタオル全体を包み込むことで、スポンジ機能と長柄ブラシ機能の長短両用の浴用タオルとなる。
【実施例】
【０００８】  以下、添付図に従って一実例を説明する。１は浴用に適した長尺の布地本体、２は厚みと膨らみの為のヒダプリーツ部分で、この本体５の位置より６の矢印の方向に折り重ね、４に従いヒダプリーツ部分の両脇より、左右両方向に縫う事により開口部３が二つでき、細長いタオルの完成となるが、１の本体を５の位置より６に従い２のヒダプリーツ部分上に折り重ね、そのまま３の開口部を裏返し、もう一方の３の開口部も裏返すことにより、１の本体、全体をヒダポケット２に包み込んだスポンジ機能の浴用タオルとなり、一つで二つの役目を担う浴用タオルとなる。
【図面の簡単な説明】
【０００９】
【図１】本考案のヒダポケット付きタオルの平面図である
【図２】ヒダポケット付きタオルの完成図である
【図３】ポケット収納時の断面図である
【符号の説明】
【００１０】    １  タオル本体
２  ヒダプリーツ部分
３  開口部
４  ミシン縫い
５  折りたたみ線
６  折りたたむ方向